(57)【要約】【課題】  遊技機において、扉用あるいは枠部材用の開閉検出器の開閉状態を示す検出信号を出力する接続線を主制御基板に配設する場合におけるノイズによる影響を低減する技術を提供する。【解決手段】  扉１０７または枠部材１０３の開閉状態を検出する開閉検出器１１１，１２１を有し、開閉検出器の検出信号を、主制御基板１３１を経由して外部端子板１４１へ出力する構成とされた遊技機１００において、開閉検出器１１１，１２１と外部端子板１４１とを接続するべく主制御基板１３１上に設けられた接続回路１３４にノイズ除去手段１３６を配置したことを特徴とする遊技機。【選択図】  図２
2006218011.tif 000002
【特許請求の範囲】
【請求項１】
扉または枠部材の開閉状態を検出する開閉検出器を有し、
前記開閉検出器の検出信号を、主制御基板を経由して外部端子板へ出力する構成とされた遊技機であって、
前記開閉検出器と前記外部端子板とを接続するべく前記主制御基板上に設けられた接続回路にノイズ除去手段を配置したことを特徴とする遊技機。
【発明の詳細な説明】
【技術分野】
【０００１】
本発明は、パチンコ機、スロットマシン等の遊技機に関し、詳しくは遊技機に装備される扉や枠部材の開閉状態を報知する技術に関する。
【背景技術】
【０００２】
従来、遊技機において、ガラス扉の開閉状態を検出する技術が、例えば特開平０６−３１５５６４号公報（特許文献１）に開示されている。特許文献１では、ガラス扉の開閉状態を検出する扉開閉検出器、枠部材としての前面枠（内枠とも呼ばれる。）の開閉状態を検出する扉開閉検出器は、接続配線を介して外部端子板に接続され、さらに外部端子板と機外の情報処理装置が接続配線によって接続された構成となっている。すなわち、特許文献１に記載の遊技機では、扉開閉検出器により検出されたガラス扉の開閉状態の情報が機外の情報処理装置へと出力される構成となっている。
【０００３】
ところで、扉あるいは枠部材の開閉状態の情報を、主制御基板を経由して外部端子板に出力しなければならない場合がある。このように、扉開閉検出器あるいは枠開閉検出器による開閉状態の検出信号を、主制御基板を経由して遊技機の外部へ出力する構成とした場合、扉開閉検出器あるいは枠開閉検出器と主制御基板とは、接続線を介して接続されることとなる。そのため、他の電子部品からの電磁波や遊技媒体である遊技球による静電気等のノイズが接続線に乗って主制御基板へと進入し、当該ノイズによって主制御基板に配設されているＣＰＵ等が誤動作を引き起こすおそれがある。この場合、ノイズ対策上は、扉開閉検出器あるいは枠開閉検出器と主制御基板とを接続する接続線の配線長さを極力短くすることが好ましいが、このような対策には自ずと限界がある。
【特許文献１】特開平０６−３１５５６４号公報
【発明の開示】
【発明が解決しようとする課題】
【０００４】
本発明は、かかる点に鑑みてなされたものであり、遊技機において、扉用あるいは枠部材用の開閉検出器の開閉状態を示す検出信号を出力する接続線を主制御基板に配設する場合におけるノイズによる影響を低減する技術を提供することを目的とする。
【課題を解決するための手段】
【０００５】
上記課題を達成するため、請求項１に記載の発明が構成される。
請求項１に記載の発明によれば、扉または枠部材の開閉状態を検出する開閉検出器を有し、当該開閉検出器の検出信号を、主制御基板を経由して外部端子板へ出力する遊技機が構成される。本発明における遊技機としては、典型的には、パチンコ機、アレンジボール機、雀球機、スロットマシン等がこれに該当する。また「扉または枠部材」としては、例えば遊技機がパチンコ機の場合であれば、遊技盤の前面を覆うべく内枠に開閉自在に装着されるガラス扉や、外枠に開閉自在に装着される内枠がこれに該当する。
本発明においては、特徴的構成として、開閉検出器と外部端子板とを接続するべく主制御基板上に設けられた接続回路にノイズ除去手段を配置した。本発明における「ノイズ除去手段」としては、典型的には、抵抗がこれに対応する。
【発明の効果】
【０００６】
本発明によれば、遊技機において、扉用または枠部材用の開閉検出器の接続線を流れるノイズによる影響を抑制する上で有効な技術が提供されることとなった。
【発明を実施するための最良の形態】
【０００７】
以下、本発明の実施の形態に係るパチンコ機につき図面を参照しつつ詳細に説明する。図１はパチンコ機１００の全体を示す斜視図である。パチンコ機１００は、本発明における「遊技機」の一例である。図１に示すように、パチンコ機１００は、概括的には、外枠１０１、内枠（前面枠とも呼ばれる）１０３、遊技盤１０５、ガラス扉１０７等を主体にして構成される。内枠１０３はパチンコ機１００の前方から見て左側縁部がヒンジ機構を介して外枠１０１に開閉自在に取り付けられる。遊技盤１０５は内枠１０３に前方から嵌め込まれた状態で取り付けられる。またガラス扉１０７は、パチンコ機１００の前方から見て内枠１０３の左側縁部に個々にヒンジ機構を介して開閉自在に取り付けられている。ガラス扉１０７は、本発明における「扉」に対応し、内枠１０３は、本発明における「枠部材」に対応する。
【０００８】
なお図１では、内枠１０３が外枠１０１に対して開放され、ガラス扉１０７が内枠１０３に対して開放された状態が示されている。パチンコ機１００における内枠１０３の裏面下部側および当該内枠１０３に装着された遊技盤１０５の裏面側には、主制御基板、副制御基板、表示制御基板、払出制御基板等、各種の基板が、それぞれ基板ボックスに収容された状態で配置されている。また内枠１０３には、ガラス扉１０７の開閉状態を検出する扉開閉スイッチ１１１、および当該内枠１０３の開閉状態を検出する枠開閉スイッチ１２１がそれぞれ取り付けられている。扉開閉スイッチ１１１および枠開閉スイッチ１２１は、それぞれが本発明における「開閉検出器」に対応する。
【０００９】
次に図２を参照して、ガラス扉１０７の扉開閉スイッチ１１１あるいは内枠１０３の枠開閉スイッチ１２１の信号を、主制御基板１３１を経由して外部端子板１４１からパチンコ機１００の外部（機外）へ出力する構成につき、ガラス扉１０７の開閉状態を検出する扉開閉スイッチ１１１の場合で説明する。図２は扉開閉スイッチ１１１と、主制御基板１３１、および外部端子板１４１との電気的な接続を説明するガラス扉１０７の開閉状態検出回路図である。扉開閉スイッチ１１１、主制御基板１３１、および外部端子板１４１は、それぞれパチンコ機１００に設けられている。図２に示すように、扉開閉スイッチ１１１の開閉状態の検出信号は、主制御基板１３１を経由して外部端子板１４１へと送られたのち、当該外部端子板１４１に設けられたフォトモスリレー（またはフォトモスカプラー）１４３によって機外の、例えばホールコンピュータ（便宜上図示省略）へ出力される構成とされる。フォトモスリレー１４３は、本発明における「出力回路」に対応する。
【００１０】
扉開閉スイッチ１１１と主制御基板１３１とは、スイッチ接続線（検出線）１１２，１１３によって接続され、主制御基板１３１と外部端子板１４１とは、外部端子板接続線１３２によって接続される。スイッチ接続線１１２，１１３は、主制御基板１３１に対して入力側コネクタ１１４を介して接続される。外部端子板接続線１３２は、主制御基板１３１に対して出力側コネクタ１３３を介して接続され、外部端子板１４１に対して入力側コネクタ１４２を介して接続される。また主制御基板１３１の入力側コネクタ１１４と出力側コネクタ１３３とは、主制御基板１３１上に配設された信号用の電源側配線パターン１３４によって接続される。電源側配線パターン１３４は、本発明における「接続回路」に対応する。
【００１１】
フォトモスリレー１４３は、発光手段と受光手段により構成されている。本実施の形態では、発光手段として発光ダイオード１４３ａが用いられ、受光手段としてフォトトランジスター１４３ｂが用いられている。発光ダイオード１４３ａは、主制御基板１３１から供給される電源１４５と接続されており、電流が流れることで光を放射する。他方、フォトトランジスター１４３ｂは、出力側コネクタ１４６を介して機外のホールコンピュータと接続されており、発光ダイオード１４３ａから放射される光を受光することによってオン・オフする。
扉開閉スイッチ１１１は、可動片１１１ａと、当該可動片１１１ａに結合された電源側端子１１１ｂと、アース側端子１１１ｃとを有する。そして、ガラス扉１０７の開閉動作に伴い可動片１１１ａがアース側端子１１１ｃに接触（オン）あるいは非接触（オフ）する構成とされ、例えばガラス扉１０７が開放したときにオンとなり、閉じたときにオフとなるように設定される。このように設定したときは、ガラス扉１０７が開放されると、扉開閉スイッチ１１１のオン動作に伴い発光ダイオード１４３ａが通電して光を放射する。そして、これに対応してフォトトランジスター４３ｂがオンし、ガラス扉１０７の開放状態を示す検出信号が機外へ出力される。
【００１２】
上記のように、扉開閉スイッチ１１１の開閉状態の検出信号を、主制御基板１３１を経由して機外へ出力する構成とされたガラス扉１０７の開閉状態検出回路において、主制御基板１３１における入力側コネクタ１１４の電源側の基板側端子１１４ａと出力側コネクタ１３３の基板側端子１３３ａとは、主制御基板１３１上に配設された電源側配線パターン１３４およびノイズ除去用の第１の抵抗１３６を介して接続されている。そして第１の抵抗１３６は、入力側コネクタ１１４に近接した位置に配設されている。また入力側コネクタ１１１ａのアース側の基板側端子１１４ｂとアース端子１３５とは主制御基板１３１に配設されたアース側配線パターン１３７およびノイズ除去用の第２の抵抗１３８を介して接続されている。そして第２の抵抗１３８は、入力側コネクタ１１４に近接した位置に配設されている。このように、主制御基板１３１上の電源側配線パターン１３４とアース側配線パターン１３７の両方に抵抗１３６，１３８を配置する構成としている。第１の抵抗１３６および第２の抵抗１３８は、本発明における「ノイズ除去手段」に対応する。ノイズ除去手段である第１および第２の抵抗１３６，１３８と、主制御基板１３１上の電源側配線パターン１３４およびアース側配線パターン１３７の浮遊容量とによって、ノイズを除去するノイズ除去回路が形成される。なお、発光ダイオード１４３ａには電流制限用の抵抗が接続される。本実施の形態では、第１および第２の抵抗１３６，１３８を発光ダイオード１４３ａの電流制限用の抵抗としても用いている。例えば、第１および第２の抵抗１３６，１３８の合計抵抗値が前述した発光ダイオード１４３ａの電流制限用の抵抗値となるように定められている。
【００１３】
上記のように構成されたガラス扉１０７の開閉状態検出回路においては、扉開閉スイッチ１１１の信号は、主制御基板１３１を介して外部端子板１４１上のフォトモスリレー１４３から機外へ出力する構成である。このため、他の電子部品からの電磁波や遊技媒体である遊技球による静電気等のノイズ１５１が、スイッチ接続線１１２，１１３に乗って主制御基板１３１へと進入し、このノイズ１５１によって主制御基板１３１上に配設されたＣＰＵ等が誤動作を引き起こすおそれがある。本実施の形態では、扉開閉スイッチ１１１と外部端子板１４１とを接続するべく主制御基板１３１上に配設されている電源側配線パターン１３４にノイズ除去用の第１の抵抗１３６を設けることによって電源側のスイッチ接続線１１２に乗ったノイズ１５１が主制御基板１３１に進入することを抑制し、これによって主制御基板１３１に配設されたＣＰＵ等の誤動作を防止することができる。
【００１４】
また本実施の形態では、電源側配線パターン１３４のみならず、アース側配線パターン１３７にもノイズ除去用の第２の抵抗１３８を設けている。これによって、アース側のスイッチ接続線１１３に乗ったノイズ１５１が主制御基板１３１に進入することを抑制し、これによって主制御基板１３１に配置されたＣＰＵ等の誤動作を防止する上で有効となる。
特に本実施の形態では、第１および第２の抵抗１３６，１３８を主制御基板１３１における入力側コネクタ１１４に近接した位置、すなわち主制御基板１３１の入口に配置しているため、ノイズ１５１の進入抑制をより効果的に行うことができる。
【００１５】
パチンコ機１００においては、扉開閉スイッチ１１１（および枠開閉スイッチ１２１）は、パチンコ機１００の構成上、主制御基板１３１から離れた位置に配置される。このため、扉開閉スイッチ１１１と主制御基板１３１とを接続するスイッチ接続線１２２，１２３の配線長さが長くなり、ノイズ１５１が進入し易い環境となるが、本実施の形態のように、電源側（信号側）およびアース側の両方にノイズ除去用としての第１の抵抗１３６、第２の抵抗１３８を配置してノイズ１５１の進入を抑制する構成とすれば、ノイズ１５１の進入を気にすることなく配線することが可能となり、例えばノイズ発生源となり得る他の電気回路を回避するような態様での配線を行なう必要がなくなり、配線上の簡便性を得ることができる。
【００１６】
ところで、出力回路を構成するフォトモスリレー１４３の回路には、発光ダイオード１４３ａに流れる電流の大きさを制限するための電流制限用の抵抗が設けられる。本実施の形態では、ノイズ除去用として主制御基板１３１上の電源側配線パターン１３４とアース側配線パターン１３７に設けられた第１および第２の抵抗１３６，１３８を発光ダイオード１４３ａの電流制限用の抵抗としても用いている。このため、第１および第２の抵抗１３６，１３８が発光ダイオード１４３ａの電流制限抵抗を兼用する結果、フォトモスリレー１４３の回路における電流制限抵抗を省略できる。あるいは電流制限抵抗に小抵抗値のものを用いることができる。
【００１７】
なお上述した実施の形態は、下記の如く変更することができる。図３に示す変更例１においては、主制御基板１３１上の電源側配線パターン１３４には、第１の抵抗１３６に加え、出力側コネクタ１３３に近接した位置にノイズ除去用の第３の抵抗１３９を設けている。すなわち、電源側配線パターン１３４と出力側コネクタ１３３との間に、第３の抵抗１３９を配置した構成としている。なおその他の構成については、上述した実施の形態と同様である。
上記のように構成された変更例１によれば、第３の抵抗１３９を、主制御基板１３１上の電源側配線パターン１３４に出力側コネクタ１３３に近接して配置する構成のため、主制御基板１３１と外部端子板１４１とをつなぐ接続線１３２に乗ったノイズ１５１が当該主制御基板１３１に進入することを抑制できる。すなわち、変更例１では、入力側コネクタ１１４と出力側コネクタ１３３の両方につき、ノイズの進入を抑制できる。
【００１８】
また図４に示す変更例２においては、主制御基板１３１に配置される入力側コネクタ１１４と、主制御基板１３１に配置される出力側コネクタ１３３は、互いに隣接するように近接して配置された構成とされる。そして入力側コネクタ１１４および出力側コネクタ１３３には、通常、複数の端子が設定される。この変更例２では、入力側コネクタ１１４および出力側コネクタ１３３のそれぞれに設定される複数の端子のうち、最も近接した位置関係にある入力側コネクタ１１４の１つの基板側端子１１４ａと出力側コネクタ１３３の１つの基板側端子１３３ａを、それぞれ扉開閉スイッチ用（または枠開閉用スイッチ）とフォトモスリレー用の端子として設定している。
上記のように構成された変更例２によれば、入力側コネクタ１１４と出力側コネクタ１３３とを接続する電源側配線パターン１３４を短くできる。その結果、１つの抵抗１３６によって、スイッチ接続線１１２および外部端子板用の接続線１３２からのノイズの進入を抑制することが可能となり、合理的である。また電源側配線パターン１３４が短くなることで、ノイズの放射領域が少なくなり、スイッチ接続線１１２および外部端子板接続線１３２からノイズが主制御基板１３１に進入したとしても、当該ノイズによるＣＰＵ等への影響を極力減らすことができる。更には電源側配線パターン１３４が短くなることで、主制御基板１３１上にＣＰＵ等を形成する際の邪魔にならず、当該ＣＰＵを楽に形成することが可能となる。
【００１９】
本発明は、上記した実施の形態に限定されるものではなく、その要旨を逸脱しない範囲内での変更が可能である。例えば、本実施の形態では、ガラス扉１０７の開閉状態を検出する扉開閉スイッチ１１１を例にして説明したが、内枠１０３の開閉状態を検出する枠開閉スイッチ１２１についても適用されるものである。また遊技機の一例としてパチンコ機１００の場合で説明したが、これに限らず、例えばアレンジボール機、雀球機、スロットマシン等に適用できる。また扉開閉用あるいは枠開閉用のスイッチ１１１，１２１は、機械式スイッチに限定されず、種々の形式のスイッチを用いることができる。
また上述した実施の形態では、外部端子板１４１側から主制御基板１３１側へ電流が流れるように構成したが、主制御基板１３１側から外部端子板１３１側へ電流が流れるように構成することができる。この場合、発光ダイオード１４３ａは、電流の流れる方向が図２と逆になるように接続される。このような構成にすると、外部端子板接続線１３２が接地された場合に発光ダイオード１４３ａには過電流が流れないため、当該発光ダイオード１４３ａの損傷を防止することができる。
【００２０】
上記発明の趣旨に鑑み、以下の如き態様が構成可能である。
（態様１）
「請求項１に記載の遊技機であって、
前記主制御基板は、
前記開閉検出器と接続される入力側コネクタと、
前記外部端子板と接続される出力側コネクタと、
前記入力側コネクタと前記出力側コネクタとを接続する電源側配線パターンと、
前記入力側コネクタをアース接点に接続するアース側配線パターンと、を有し、
前記電源側配線パターンにおける前記入力側コネクタに近接した位置および前記アース側配線パターンにおける前記入力側コネクタに近接した位置に、それぞれノイズ除去手段を配設したことを特徴とする遊技機。」
【００２１】
態様１に記載の発明によれば、請求項１に記載の遊技機における主制御基板は、開閉検出器と接続される入力側コネクタと、外部端子板と接続される出力側コネクタと、入力側コネクタと出力側コネクタとを接続する電源側配線パターンと、入力側コネクタをアース接点に接続するアース側配線パターンとを有する。そして、電源側配線パターンにおける入力側コネクタに近接した位置およびアース側配線パターンにおける入力側コネクタに近接した位置に、それぞれノイズ除去手段を配設した構成としている。態様１の発明は、電源側配線パターンとアース側配線パターンのそれぞれにノイズ除去手段を設ける構成のため、開閉検出器側と主制御基板とを接続する電源側およびアース側の各接続線を経てノイズが主制御基板に進入することを抑制できる。
【００２２】
（態様２）
「請求項１または態様１に記載の遊技機であって、
前記主制御基板は、
前記開閉検出器と接続される入力側コネクタと、
前記外部端子板と接続される出力側コネクタと、
前記入力側コネクタと前記出力側コネクタとを接続する電源側配線パターンと、を有し、
前記電源側配線パターンには、前記入力側コネクタに近接した位置と前記出力側コネクタに近接した位置の少なくとも一方にノイズ除去手段を配置したことを特徴とする遊技機。」
【００２３】
態様２に記載の発明によれば、請求項１または態様１に記載の遊技機における主制御基板は、開閉検出器と接続される入力側コネクタと、外部端子板と接続される出力側コネクタと、入力側コネクタと出力側コネクタとを接続する電源側配線パターンと、を有する。そして、電源側配線パターンには、入力側コネクタに近接した位置と出力側コネクタに近接した位置の少なくとも一方にノイズ除去手段を配置した構成としている。態様２の発明は、電源側配線パターンにつき、入力側コネクタ側と出力側コネクタ側の少なくとも一方にノイズ除去手段を設ける構成のため、開閉検出器側あるいは外部端子板側において、ノイズの主制御基板への進入を抑制できる。なおノイズ除去手段は、入力側コネクタ側と出力側コネクタ側の両方に設けるのが好ましい。
【００２４】
（態様３）
「請求項１、態様１または２のいずれかに記載の遊技機であって、
前記主制御基板は、
前記開閉検出器と接続される入力側コネクタと、
前記外部端子板と接続される出力側コネクタと、を有し、
前記入力側コネクタと前記出力側コネクタが互いに隣接するように近接した状態で配置されるとともに、前記入力側コネクタおよび前記出力側コネクタのそれぞれに設定される複数の端子のうち、最も近接した位置関係にある入力側コネクタの１つの基板側端子と出力側コネクタの１つの基板側端子を、それぞれ開閉検出器用と外部端子板用の基板側端子として設定し、それら基板側端子を互いに接続する前記電源側配線パターンに前記ノイズ除去手段が配置されていることを特徴とする遊技機。」
【００２５】
態様３に記載の発明によれば、請求項１、態様１または２のいずれかに記載の遊技機における主制御基板は、開閉検出器と接続される入力側コネクタと、外部端子板と接続される出力側コネクタとを有する。そして入力側コネクタと出力側コネクタが互いに隣接するように近接した状態で配置されるとともに、入力側コネクタおよび出力側コネクタのそれぞれに設定される複数の端子のうち、最も近接した位置関係にある入力側コネクタの１つの基板側端子と出力側コネクタの１つの基板側端子を、それぞれ開閉検出器用と外部端子板用の基板側端子として設定し、それら基板側端子を互いに接続する電源側配線パターンにノイズ除去手段が配置された構成とされる。
【００２６】
態様３の発明によれば、上記のように入力側コネクタと出力側コネクタとを接近した位置に配置することで、主制御基板上において、入力側コネクタの基板側端子と出力側コネクタの基板側端子を相互に接続する電源側配線パターンの配線距離を短くすることができる。その結果、１つのノイズ除去手段によって、開閉検出器および外部端子板からのノイズの進入を抑制できるとともに、ノイズが進入したときのノイズの放射領域が少なくなるため、当該ノイズによる主制御基板に配設されたＣＰＵ等への影響を極力減らすことができ、更には主制御基板上にＣＰＵを形成する際の邪魔にならず、当該ＣＰＵを楽に形成できる。
【００２７】
（態様４）
「請求項１、態様１〜３のいずれかに記載の遊技機であって、
前記ノイズ除去手段は、抵抗によって構成されていることを特徴とする遊技機。」
【００２８】
（態様５）
「態様４に記載の遊技機であって、
前記外部端子板は、前記開閉検出器の検出信号を外部へ出力する出力回路を有し、当該出力回路は、通電することで光を発する発光手段と、当該発光手段が発した光を受光する受光手段により構成され、前記抵抗が前記発光手段の制限抵抗を兼用する構成としたことを特徴とする遊技機。」
【００２９】
態様５に記載の発明によれば、態様４に記載の遊技機における外部端子板は、開閉検出器の検出信号を外部へ出力する出力回路を有し、当該出力回路は、通電することで光を発する発光手段と、当該発光手段が発した光を受光する受光手段により構成される。そしてノイズ除去手段としての抵抗が発光手段の制限抵抗を兼用する構成としている。かかる構成とすることにより、本来発光手段に流れる電流の大きさを制限するべく設けられる制限抵抗を省略することができる。
【図面の簡単な説明】
【００３０】
【図１】パチンコ機の全体を示す斜視図である。
【図２】ガラス扉あるいは内枠の開閉状態を検出する検出回路を説明する図である。
【図３】変更例１を説明する図である。
【図４】変更例２を説明する図である。
【符号の説明】
【００３１】
１００  パチンコ機（遊技機）
１０１  外枠
１０３  内枠（枠部材）
１０５  遊技盤
１０７  ガラス扉（扉）
１１１  扉開閉スイッチ（開閉検出器）
１１１ａ  可動片
１１１ｂ  電源側端子
１１１ｃ  アース側端子
１１２，１１３  スイッチ接続線
１１４  入力側コネクタ
１１４ａ  基板側端子
１２１  枠開閉スイッチ（開閉検出器）
１３１  主制御基板
１３２  外部端子板接続線
１３３  出力側コネクタ
１３３ａ  基板側端子
１３４  電源側配線パターン
１３５  アース端子
１３６  ノイズ除去用の第１の抵抗（ノイズ除去手段）
１３７  アース側配線パターン
１３８  ノイズ除去用の第２の抵抗（ノイズ除去手段）
１３９  ノイズ除去用の第３の抵抗（ノイズ除去手段）
１４１  外部端子板
１４２  入力側コネクタ
１４３  フォトモスリレー（出力回路）
１４３ａ  発光ダイオード（発光手段）
１４３ｂ  フォトトランジスター（受光手段）
１４５  電源
１４６  出力側コネクタ
１５１  ノイズ
【図１】
2006218011.tif 000003
【図２】
2006218011.tif 000004
【図３】
2006218011.tif 000005
【図４】
2006218011.tif 000006